(57)【要約】【課題】本考案は、ハンガーへのズボン掛けを容易にし、かつ、ずり落ちを防止し、ズボンに優しいハンガーとするものである。【解決手段】本考案は、開閉軸受けと開閉ストッパーを具備する開閉式ズボン掛け用アームとＵ字型鉄線とをハンガーに装着するものであり、これによってズボンの掛け外しが簡単便利となり、また、開閉式ズボン掛け用アームとＵ字型鉄線の横棒との共働により掛けたズボンの落下が阻止され、更にズボンの折り目や皺なども簡単に修正できる。  なお、本開閉式ズボン掛け用アームは既製のハンガーにも追加装着することが可能であることや箪笥の扉の内側などにも装着できることが秀れた特徴である。【選択図】図１
0003130362.tif 000002
【実用新案登録請求の範囲】
【請求項１】
本考案の開閉式ズボン掛け用アーム付きハンガーは、ハンガーに水平方向に開閉自在な開閉式ズボン掛け用アームとＵ字型鉄線を装着したもので、ズボンの掛け外しが簡単で、ずり落ちることのないズボンに優しいハンガーである。
【請求項２】
本考案の開閉式ズボン掛け用アームを市販のＵ字型鉄線のあるハンガーに追加装着すれば開閉式ズボン掛け用アーム付きハンガーに改良できる。
【請求項３】
本考案の開閉式ズボン掛け用アームは、細長い角形木片に装着して洋服箪笥の扉の内側などに貼り付ければ便利なズボン掛けとなる。
【考案の詳細な説明】
【技術分野】
【０００１】  本考案は、ハンガーに水平方向に開閉自在な開閉式ズボン掛け用アームの装着に関するものである。
【背景技術】
【０００２】  家庭や旅館、ホテルなどで使われているズボンが掛けられるＵ字型鉄線のあるハンガーは、上着を掛けるハンガー本体とズボンを掛ける横棒との間が狭くズボン掛けが面倒であり、また、折角掛けたズボンがずり落ちて掛け直さなければならないことが多い。
【考案の開示】
【考案が解決しようとする課題】
【０００３】  本考案は、脱いだズボンの掛け外しが楽で、しかもずり落ちないズボンに優しいハンガーとすることである。
【課題を解決するための手段】
【０００４】  本考案は、ハンガーにＵ字型鉄線と、その横棒の上に開閉軸受けと開閉ストッパーを具備した開閉式ズボン掛け用アームを装着することにより問題点を解決する。
【考案の効果】
【０００５】  本考案は、脱いだズボンを掛けるときは開閉式ズボン掛け用アームを開き、ズボンの両裾を揃えて開閉式ズボン掛け用アームに掛けてからそれを閉じればよく、外すときも開閉式ズボン掛け用アームをひらけば楽に外せるので簡単便利なハンガーである。【０００６】  開閉式ズボン掛け用アームとその下にあるＵ字型鉄線の横棒により、掛けたズボンはコの字型となって安定した状態で保持され落下することはない。【０００７】  開閉式ズボン掛け用アームには動きに若干の余裕があるため、ズボンの折り目やシワなどは掛けたままの状態で無理なく直せるのでズボンに優しいハンガーである。
【考案の実施するための最良の形態】
【０００８】  開閉式ズボン掛け用アームの材料は、太さが直径１５ｍｍ程度、長さがハンガーのＵ字型鉄線の横棒の長さに見合った長さの棒状に加工した木の棒とするが、金属パイプやプラスチック成型品なども利用出来る。
開閉軸受けは、棒状に加工された木の一方の端の部分にあける開閉軸となるＵ字型鉄線の縦棒を通す穴であるが、既製のハンガーに追加装着するものはＵ字型鉄線の縦棒をはめ込む溝とはめ込んだ縦棒をおさえる蓋板とする。（図２、図３、図４参照）
開閉ストッパーは、上記の棒状の木の他の端の部分に取り付ける開閉式ズボン掛け用アームの開き放しと閉じ過ぎの防止と操作用ハンドルを兼用するものである。その構造は太さ２ｍｍ程度のＵ字型に折り曲げた針金の片方が開き放し防止用で短く、他方は閉じ過ぎ防止用と長方形に折り曲げた操作ハンドルを作り、その２本の針金の間にＵ字型鉄線の縦棒を挟んだり放したりするもので、開き放し防止用の針金が木の端とそれより約１０ｍｍ外に出たり入ったりするようにスライド用ステップル及び横ぶれ防止用ステップルで取り付ける。なお、針金の先端は丸くするなど人体や衣服に危害を与えないよう配慮する。また、針金の代わりにプラスチック成型品でも有効である。。（図２、図３、図５参照）
【実施例】
【０００９】  ハンガーの製作段階で開閉式ズボン掛け用アームを装着する方法は、開閉式ズボン掛け用アームを作成し、その開閉軸受け穴にＵ字型鉄線の縦棒を通してから鉄線全体をハンガー本体に装着する。（図１参照）【００１０】  Ｕ字型鉄線のあるハンガーに開閉式ズボン掛け用アームを追加装着する方法は、開閉式ズボン掛け用アームの長さをハンガーのＵ字型鉄線の横棒の内側の長さに切断し、その断面の中央に幅及び深さがそれぞれ３ｍｍ程度の開閉軸受け溝を切り込み、ハンガーのＵ字型鉄線の縦棒をはめ込んで外側から蓋板を木ネジなどでしっかりと固定する。なお、溝の深さ及びアームの長さはハンガーの縦棒の太さにより若干加減する。（図２、図３参照）【００１１】  開閉式ズボン掛け用アームを洋服箪笥の扉の内側や奥板などに貼り付ける方法は、縦、横各１５ｍｍ程度で開閉式ズボン掛け用アームの長さより約５０ｍｍ長い貼り付け用木片の一方の端から約２５ｍｍくらいの箇所に、開閉式ズボン掛け用アームの開閉軸受け穴に通した木ネジで固定し、他の端の部分に開閉ストッパー止め用木ネジを打ち込んだのち、木工用接着剤、木ネジ、釘などで貼り付ける。（図６参照）
【産業上の利用可能性】
【００１２】  ハンガーは、家庭、ホテル、旅館のほか商店や着替えを伴うスポーツ施設等あらゆるところで使用されているにも拘らず、殆どのハンガーは脱いだズボンの掛け外しが面倒でしかも掛けたズボンが落下するなどの不具合なものである。
本考案の開閉式ズボン掛け用アーム付きハンガーは、これらの不具合を解決するズボンに優しいハンガーであり、各方面での需要は大きいものと考える。特にホテルや旅館などで大量に使用されているＵ字型鉄線のあるハンガーへの追加装着は、事前に開閉式ズボン掛け用アームの長さや軸受け溝の大きさをそれらのハンガーの規格に合わせて製作することが可能であるから大いに有望であり、また、箪笥の扉の内側などに貼り付ける型も家具工場のほか家庭用としての需要も考えられる。
【図面の簡単な説明】
【００１３】
【図１】開閉式ズボン掛け用アーム付きハンガーの実施例を示す正面図である。
【図２】既製ハンガーへ追加装着する開閉式ズボン掛け用アームの平面図である。
【図３】既製ハンガーへ追加装着する開閉式ズボン掛け用アームの正面図である。
【図４】軸受け溝の蓋板の一例図である。
【図５】開閉ストッパーの一例図である。
【図６】開閉式ズボン掛け用アームを箪笥の扉の内側に貼り付けた図である。
【符号の説明】
【００１４】１  ハンガー本体                      １０  ストッパーのスライド用ステップル
２  開閉式ズボン掛け用アーム          １１  ストッパーの横振れ防止ステップル
３  開閉軸受け穴                      １２  開閉軸受け溝の蓋板
４  開閉軸受け溝                      １３  洋服箪笥の扉の内側
５  Ｕ字型鉄線の横棒                  １４  貼り付け用木片
６  Ｕ字型鉄線の縦棒                  １５  開閉軸受け用木ネジ
７  開閉ストッパー                    １６  開閉ストッパー止め用木ネジ
８  開き過ぎ防止用針金
９  閉じ過ぎ防止とハンドル兼用針金
【図１】
0003130362.tif 000003
【図２】
0003130362.tif 000004
【図３】
0003130362.tif 000005
【図４】
0003130362.tif 000006
【図５】
0003130362.tif 000007
【図６】
0003130362.tif 000008
【手続補正書】
【提出日】平成18年9月21日(2006.9.21)
【手続補正１】
【補正対象書類名】実用新案登録請求の範囲
【補正対象項目名】全文
【補正方法】変更
【補正の内容】
【実用新案登録請求の範囲】
【請求項１】
一方の端部に開閉軸受け穴（貫通穴）を有し他の方の端部にスライド式開閉ストッパーを備えたズボン掛け用アームを作り、このアームの開閉軸受け穴にハンガー本体から吊り下げられるＵ字型鉄線の縦棒を通し、同アームの開閉ストッパーを前記Ｕ字型鉄線の他の縦棒に係止させるようにしたことを特徴とする開閉式ズボン掛け用アーム付きハンガー。
【請求項２】
前記ズボン掛け用アームの開閉軸受け穴に代え端部に開閉軸受け溝を設け、そこにハンガー本体から吊り下げられたＵ字型鉄線の縦棒をはめ込み外側から蓋板をもって固定し他の端部の開閉ストッパーで請求項１に記載した方法で係止させるように構成したことを特徴とする請求項１に記載した開閉式ズボン掛け用アーム付きハンガー。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】  ハンガーは、家庭、ホテル、旅館のほか商店や着替えを伴うスポーツ施設等あらゆるところで使用されているにも拘らず、殆どのハンガーは脱いだズボンの掛け外しが面倒でしかも掛けたズボンが落下するなどの不具合なものである。
本考案の開閉式ズボン掛け用アーム付きハンガーは、これらの不具合を解決するズボンに優しいハンガーであり、各方面での需要は大きいものと考える。特にホテルや旅館などで大量に使用されているＵ字型鉄線のあるハンガーへの追加装着は、事前に開閉式ズボン掛け用アームの長さや軸受け溝の大きさを、それらのハンガーの規格に合わせて製作することが可能であるから大いに有望であると考える。
【手続補正４】
【補正対象書類名】明細書
【補正対象項目名】００１３
【補正方法】変更
【補正の内容】
【００１３】
【図１】開閉式ズボン掛け用アーム付きハンガーの実施例を示す正面図である。
【図２】既製ハンガーへ追加装着する開閉式ズボン掛け用アームの平面図である。
【図３】既製ハンガーへ追加装着する開閉式ズボン掛け用アームの正面図である。
【図４】軸受け溝の蓋板の一例図である。
【図５】開閉ストッパーの一例図である。
【手続補正５】
【補正対象書類名】明細書
【補正対象項目名】００１４
【補正方法】変更
【補正の内容】
【００１４】  １  ハンガー本体                ７  開閉ストッパー
２  開閉式ズボン掛け用アーム    ８  開き過ぎ防止用針金
３  開閉軸受け穴                ９  閉じ過ぎ防止とハンドル兼用針金
４  開閉軸受け溝              １０  ストッパーのスライド用ステップル
５  Ｕ字型鉄線の横棒          １１  ストッパーの横振れ防止用ステップル
６  Ｕ字型鉄線の縦棒          １２  開閉軸受け溝の蓋板
【手続補正６】
【補正対象書類名】図面
【補正対象項目名】図６
【補正方法】削除
【補正の内容】
【手続補正書】
【提出日】平成18年12月20日(2006.12.20)
【手続補正１】
【補正対象書類名】実用新案登録請求の範囲
【補正対象項目名】全文
【補正方法】変更
【補正の内容】
【実用新案登録請求の範囲】
【請求項１】
一方の端部に開閉軸受け穴を有し、他方の端部にスライド式開閉ストッパーを有する開閉式ズボン掛け用アームであって、開閉軸となるハンガー本体から吊り下げられるＵ字型鉄線の一方の縦棒を当該開閉式ズボン掛け用アームの開閉軸受け穴に通してハンガー本体に装着し、前記開閉ストッパーをスライドして前記Ｕ字型鉄線の他方の縦棒に係止させることにより、当該開閉式ズボン掛け用アームが水平方向に開閉出来るようにしたことを特徴とする開閉式ズボン掛け用アーム付きハンガー。
【請求項２】
一方の端部に形成された縦方向の開閉軸受け溝とその溝を覆う蓋板とで形成されている開閉軸受けを有し、他方の端部にスライド式開閉ストッパーを有する開閉式ズボン掛け用アームであって、既にハンガー本体から吊り下げられているＵ字型鉄線の一方の縦棒を開閉軸として当該開閉式ズボン掛け用アームの軸受け溝にはめ込み外側から蓋板で固定し、他方の端部のスライド式開閉ストッパーで当該Ｕ字型鉄線の他方の縦棒に係止させることにより請求項１記載の開閉式ズボン掛け用アーム付きハンガー。